(57)【要約】【課題】熱交換器へ供給する熱媒体の温度をコントロールしやすくする。【解決手段】実施形態によれば、制御システムは、太陽熱を集めて熱媒体に与える太陽熱集熱装置、熱媒体との熱交換により二次媒体を蒸気に変化させる熱交換器、および熱交換器からの蒸気により駆動するタービンを有する発電プラントに適用される制御システムであって、太陽熱集熱装置により集めた熱が与えられて熱交換器の一次側に供給される熱媒体の熱量を検出する検出手段と、風力発電装置により発電した電力を変換して得た熱を熱媒体に供給する熱供給手段と、熱媒体に含まれる熱を蓄熱する蓄熱装置と、熱交換器の一次側に供給される熱媒体の熱量がタービンの駆動にかかる所定条件を満たさずに高い場合に熱交換器の一次側に供給される熱媒体を冷却する冷却手段とをもつ。【選択図】      図１
2015161284.tif 000002
【特許請求の範囲】
【請求項１】
太陽熱を集めて熱媒体に与える太陽熱集熱装置、前記熱媒体との熱交換により二次媒体を蒸気に変化させる熱交換器、および、前記熱交換器からの蒸気により駆動するタービンを有する発電プラントに適用される制御システムであって、
前記太陽熱集熱装置により集めた熱が与えられて前記熱交換器の一次側に供給される熱媒体の熱量を検出する検出手段と、
風力発電装置により発電した電力を変換して得た熱を前記熱媒体に供給する熱供給手段と、
前記熱媒体に含まれる熱を蓄熱する蓄熱装置と、
前記熱交換器の一次側に供給される熱媒体の熱量が前記タービンの駆動にかかる所定条件を満たさずに高い場合に、前記熱交換器の一次側に供給される熱媒体を冷却する冷却手段と
を備えたことを特徴とする制御システム。
【請求項２】
前記冷却手段は、
前記二次媒体を蒸気に変化させる熱交換器としての第１の熱交換器の一次側へ供給される熱媒体を一次側に取り込み、前記第１の熱交換器の一次側の出口部から取り出した熱媒体を二次側に取り込んで熱交換を行うための第２の熱交換器と、
前記第１の熱交換器の一次側に供給される熱媒体の熱量が前記タービンの駆動にかかる所定条件を満たさずに高い場合に、前記第１の熱交換器の一次側の出口部から取り出した熱媒体の少なくとも一部を前記第２の熱交換器の二次側に供給させる制御手段とを含む
ことを特徴とする請求項１に記載の制御システム。
【請求項３】
前記冷却手段は、
前記熱交換器の一次側に供給される熱媒体の熱量が前記タービンの駆動にかかる所定条件を満たさずに高い場合に、前記熱交換器の一次側へ供給される熱媒体を冷却するための冷却器を有する
ことを特徴とする請求項１に記載の制御システム。
【請求項４】
前記第１の熱交換器の一次側から前記太陽熱集熱装置へ供給される熱媒体の少なくとも一部を前記第２の熱交換器の二次側へ供給して前記太陽熱集熱装置へ戻すための熱媒体管をさらに備え、
前記冷却手段は、
前記第１の熱交換器の一次側に供給される熱媒体の熱量が前記タービンの駆動にかかる所定条件を満たさずに高い場合に、前記第１の熱交換器の一次側から前記太陽熱集熱装置へ供給される熱媒体の少なくとも一部を前記熱媒体管を介して前記第２の熱交換器の二次側に供給させる制御手段を有する
ことを特徴とする請求項２に記載の制御システム。
【請求項５】
前記熱交換器の一次側に供給される熱媒体とは異なる熱媒体を一次側に取り込み、前記二次媒体を二次側に取り込んで前記二次媒体を加熱させるための二次媒体用熱交換器をさらに備えた
ことを特徴とする請求項１に記載の制御システム。
【請求項６】
前記二次媒体を蒸気に変化させる熱交換器としての第１の熱交換器へ供給される熱媒体とは異なる熱媒体を一次側に取り込み、前記二次媒体を二次側に取り込んで前記二次媒体を加熱させるための二次媒体用熱交換器をさらに備え、
前記冷却手段は、
前記第１の熱交換器の一次側へ供給される熱媒体を一次側に取り込み、前記二次媒体用熱交換器の一次側の出口部から取り出した熱媒体を二次側に取り込んで熱交換を行うための第２の熱交換器と、
前記第１の熱交換器の一次側に供給される熱媒体の熱量が前記タービンの駆動にかかる所定条件を満たさずに高い場合に、前記二次媒体用熱交換器の一次側から前記第２の熱交換器の二次側に供給される熱媒体の流量を制御する制御手段とを有する
ことを特徴とする請求項１に記載の制御システム。
【請求項７】
太陽熱集熱装置により集めた熱および風力発電装置により発電した電力を変換して得た熱を前記二次媒体用熱交換器の一次側に供給される熱媒体に供給する第２の熱供給手段をさらに備えた
ことを特徴とする請求項５または６に記載の制御システム。
【請求項８】
太陽熱を集めて熱媒体に与える太陽熱集熱装置、前記熱媒体に含まれる熱を蓄熱する蓄熱装置、前記熱媒体との熱交換により二次媒体を蒸気に変化させる熱交換器、および、前記熱交換器からの蒸気により駆動するタービンを有する発電プラントに適用される熱供給方法であって、
前記太陽熱集熱装置により集めた熱が与えられて前記熱交換器の一次側に供給される熱媒体の熱量を検出し、
風力発電装置により発電した電力を変換して得た熱を前記熱媒体に供給し、
前記熱交換器の一次側に供給される熱媒体の熱量が前記タービンの駆動にかかる所定条件を満たさずに高い場合に、前記熱交換器の一次側に供給される熱媒体を冷却する
ことを特徴とする熱供給方法。
【発明の詳細な説明】
【技術分野】
【０００１】
本発明の実施形態は、風力、太陽熱を利用した発電プラントに適用される制御システムおよび熱供給方法に関する。
【背景技術】
【０００２】
近年、太陽光や風力などの再生可能エネルギー発電の導入が進んでいる。しかし、風の強弱や太陽光の強弱により発電量が大きく揺らぐ欠点や夜間発電が行えないなどの欠点が電力系統に与える影響が懸念されている。よって、大規模な再生可能エネルギー発電に対応するための、効率的な電力安定供給が求められている。
【０００３】
再生可能エネルギーを利用した効率的な電力安定供給を実現するためのシステムとしては、太陽熱を利用した発電プラントが挙げられる。  
この太陽熱を利用した発電プラントは、太陽熱を太陽熱集熱装置で集め、この集めた熱を熱媒体を介して熱交換器に送り、この送った熱により水を蒸気に変化させ、この蒸気によりタービンを駆動させて発電を行なうものである。
【０００４】
太陽熱集熱装置で集めた熱は、熱媒体を介して蓄熱装置により蓄熱することができる。
【０００５】
蓄熱装置から熱媒体を介して必要な熱量を取り出すことによって、昼間の太陽光変動や夜間の太陽光がない時間帯においても熱媒体の温度変動を吸収することができる。このようなシステムにより熱媒体を熱交換に送り、発電を行なう。
【先行技術文献】
【特許文献】
【０００６】
【特許文献１】特開２０１４−３１７８７号公報
【発明の概要】
【発明が解決しようとする課題】
【０００７】
上述のような発電システムにより、太陽光や風力の数秒単位の変動を比較的小さくすることが可能である。しかし、実際に熱交換器に供給される熱媒体の温度には幅があるため、熱媒体の熱量を熱交換器の二次側へ渡すときの熱媒体の温度を所望の温度にコントロールすることは難しいのが現状である。このように熱交換器へ供給される熱媒体の温度に幅があることにより、熱交換の効率低下や熱交換器の最高使用温度への制約が懸念される。
【０００８】
本発明が解決しようとする課題は、発電プラントの熱交換器へ供給する熱媒体の温度をコントロールしやすくすることが可能になる制御システムおよび熱供給方法を提供することにある。
【課題を解決するための手段】
【０００９】
実施形態によれば、制御システムは、太陽熱を集めて熱媒体に与える太陽熱集熱装置、熱媒体との熱交換により二次媒体を蒸気に変化させる熱交換器、および熱交換器からの蒸気により駆動するタービンを有する発電プラントに適用される制御システムであって、太陽熱集熱装置により集めた熱が与えられて前記熱交換器の一次側に供給される熱媒体の熱量を検出する検出手段と、風力発電装置により発電した電力を変換して得た熱を熱媒体に供給する熱供給手段と、熱媒体に含まれる熱を蓄熱する蓄熱装置と、熱交換器の一次側に供給される熱媒体の熱量がタービンの駆動にかかる所定条件を満たさずに高い場合に、熱交換器の一次側に供給される熱媒体を冷却する冷却手段とをもつ。
【発明の効果】
【００１０】
本発明によれば、発電プラントの熱交換器へ供給する熱媒体の温度をコントロールしやすくすることができる。
【図面の簡単な説明】
【００１１】
【図１】第１の実施形態における、太陽熱を利用した発電プラントの例を示す概略図。
【図２】第１の実施形態における、太陽熱を利用した発電プラントの制御装置の機能構成例を示すブロック図。
【図３】第１の実施形態における、太陽熱を利用した発電プラントの熱媒体の流量制御のための動作手順の一例を示すフローチャート。
【図４】第２の実施形態における、太陽熱を利用した発電プラントの例を示す概略図。
【図５】第３の実施形態における、太陽熱を利用した発電プラントの例を示す概略図。
【図６】第４の実施形態における、太陽熱を利用した発電プラントの例を示す概略図。
【図７】第５の実施形態における、太陽熱を利用した発電プラントの例を示す概略図。
【図８】第６の実施形態における、太陽熱を利用した発電プラントの例を示す概略図。
【発明を実施するための形態】
【００１２】
以下、実施の形態について、図面を参照して説明する。  
（第１の実施形態）
まず、第１の実施形態について説明する。  
図１は、第１の実施形態における、風力および太陽熱を利用した発電プラントの例を示す概略図である。  
太陽熱の熱媒体である、例えば合成油などの熱媒体は、熱媒体ポンプ１により搬送される。熱媒体は、熱媒体ポンプ１から、太陽熱を集めて熱媒体に与えるための太陽熱集熱装置２に搬送される。
【００１３】
熱媒体は、太陽熱集熱装置２にて集めた、太陽光線の輻射熱により加熱される。その後、熱媒体は熱交換器（加熱器）７に搬送され、そこで加熱対象の媒体である水や蒸気を加熱する。熱媒体は、熱交換器７の一次側にて温度低下した後、熱媒体ポンプ１の上流に戻る。このようにして熱媒体は循環する。
【００１４】
太陽熱集熱装置としては、種々の方式が使用可能だが、例えばトラフ型集光方式が使用される。トラフ型の太陽熱集熱装置は、集光鏡で太陽光線を集光し、集熱管を加熱する。集熱管には熱媒体が流通しており、太陽光線から集熱管が受けた輻射熱により、熱媒体の温度が上昇する。集熱管の上流と下流のそれぞれには、熱媒体管が接続されている。
【００１５】
熱交換器７は、太陽熱集熱装置２から搬送された熱媒体からの熱により二次媒体（低沸点媒体、水など）を蒸気に変化させ、タービン９へと供給する。  
タービン９を通過し排出された蒸気は、凝縮器（復水器）１１に流入する。凝縮器１１では、冷却水によりタービン排気を冷却し、これを液化させて、ポンプ８の上流に戻る。このようにして二次媒体が循環する。なお、冷却水は、凝縮器１１にて温度上昇させた後、図１に示す、大気を用いた冷却塔１２で冷却してポンプ（図示せず）により循環させてもよいし、海水や河川水を用いてもよい。
【００１６】
タービン９の回転軸は発電機１０に接続されている。この回転軸は、膨張していく蒸気によってタービン９が回転する事で回転する。この回転軸の回転により、発電機１０にて発電が行われる。  
そして、本実施形態では、太陽熱集熱装置２と熱交換器７の一次側との間にヒーター４、蓄熱装置５、熱交換器（第２の熱交換器）６が設けられる。
【００１７】
熱媒体の循環における温度の変化の一例について説明する。例えば熱媒体ポンプ１の上流において温度が２５０℃である熱媒体は、太陽熱集熱装置２にて２７５℃まで加熱されて熱交換器７へ搬送されることとなる。
【００１８】
本実施形態では、発電プラントには、太陽熱集熱装置２の出口部と蓄熱装置５の入口部との間に挿入される形態でヒーター４が設けられる。また、本実施形態では、風力発電装置３により発電した電力はヒーター４に供給される。  
次に、ヒーター４の動作について説明する。  
制御装置３０は、ヒーター４を必要に応じて動作させる。ヒーター４は、前述した電力を熱に変換し、この変換によって得た熱を、太陽熱集熱装置２から搬送される熱媒体に与えることで、この熱媒体の温度を上昇させる。
【００１９】
ヒーター４を動作させる必要があるときは、太陽熱集熱装置２の停止後における起動時、および太陽光による太陽熱集熱装置２への入熱が不十分なときが挙げられる。  
また、ヒーター４と熱交換器７の一次側との間には、この間に挿入される形態で蓄熱装置５が設けられる。蓄熱装置５は、ヒーター４から得た熱を例えば熱媒油や溶融塩といった媒体を貯蔵しておく。これによって、再生可能エネルギーを用いた発電電力を利用して得た熱を蓄熱することができる。
【００２０】
また、蓄熱装置５と熱交換器７の一次側との間には、この間に挿入される形態で熱交換器６が設けられる。熱媒体ポンプ１の出口部から熱媒体配管が図示しない弁を介してバイパスラインとして分岐して熱交換器６の二次側に接続され、熱交換器６の二次側の出口部から熱媒体配管が太陽熱集熱装置２の入口部の熱媒体配管に合流するように接続される。本実施形態では、熱交換器７の一次側へ供給される熱媒体を熱交換器６の一次側に取り込み、熱交換器７の一次側の出口部から取り出した熱媒体を熱交換器６の二次側に取り込んで熱交換を行う。このバイパスラインおよび熱交換器６は、熱交換器７の一次側に供給される熱媒体を冷却する冷却手段として機能する。また、熱交換器６の一次側の出口部と熱交換器７の一次側の入口部との間には熱媒体の流量センサ４１と熱媒体の温度センサ４２とが設けられる。
【００２１】
制御装置３０は、蓄熱装置５から取り出されて熱交換器７の一次側へ供給される熱量がタービン９を適切に駆動させるために二次媒体を加熱するための熱量として高すぎる場合には、熱交換器７の一次側の出口部からの熱媒体配管を流れる熱媒体、つまり熱交換器７による熱交換によって温度が低下した熱媒体を熱交換器７の前段の熱交換器６の二次側に与えるための制御を行うことで、熱交換器７の一次側へ搬送される熱媒体の熱量を低下させる。
【００２２】
図２は、第１の実施形態における、太陽熱を利用した発電プラントの制御装置の機能構成例を示すブロック図である。  
図２に示すように、制御装置３０は、流量検出部３１、温度検出部３２、熱量計算部３３、判断部３４、および制御部３５を有する。
【００２３】
図３は、第１の実施形態における、太陽熱を利用した発電プラントの熱媒体の流量制御のための動作手順の一例を示すフローチャートである。  
制御装置３０の流量検出部３１は、蓄熱装置５からみた熱交換器７の一次側の入口部の流量センサ４１による検出結果を取得することで、熱交換器７の一次側に供給される熱媒体の流量を検出する（ステップＳ１）。
【００２４】
制御装置３０の温度検出部３２は、蓄熱装置５からみた熱交換器７の一次側の入口部の温度センサ４２による検出結果を取得することで、熱交換器７の一次側に供給される熱媒体の温度を検出する（ステップＳ２）。
【００２５】
制御装置３０の熱量計算部３３は、流量検出部３１により検出した流量および温度検出部３２により検出した温度に基づいて、熱交換器７の一次側に供給される熱媒体の熱量を計算する（ステップＳ３）。
【００２６】
制御装置３０の判断部３４は、この計算した熱量がタービン９の適切な駆動にかかる熱量の所定の基準値以上であるか否かを判断する（ステップＳ４）。  
制御装置３０の制御部３５は、熱量計算部３３により計算した熱量が前述の基準値以上である場合に（ステップＳ４のＹＥＳ）、熱媒体ポンプ１の弁を調整して、熱交換器７の一次側の出口部から熱交換器７の前段の熱交換器６の二次側に与えられる熱媒体の流量を制御することで、熱交換器７の一次側へ搬送される熱媒体の熱量が基準値未満に低下するように制御する（ステップＳ５）。
【００２７】
このように、第１の実施形態では、太陽熱集熱装置２により集熱した熱などを用いて加熱した熱媒体の熱量がタービン９を適切に駆動させるための熱量として高すぎる場合でも、この熱媒体の熱量をコントロールしやすくすることができる。  
また、第１の実施形態では、熱交換器６による熱交換により加熱された熱媒体は太陽熱集熱装置２の入口部に戻されるので、熱を有効に使用することができる。
【００２８】
（第２実施形態）
次に、第２の実施形態について説明する。以下の各実施形態における構成のうち第１の実施形態で説明した構成と同様の構成についての詳細な説明は省略する。  
図４は、第２の実施形態における、太陽熱を利用した発電プラントの例を示す概略図である。  
第２の実施形態では、第１の実施形態で説明した蓄熱装置５と熱交換器７の一次側との間に熱交換器６の代わりに冷却器１３を設け、熱媒体ポンプ１の出口部から熱交換器６の二次側を経由して太陽熱集熱装置２に至るバイパスラインとして分岐していた熱媒体配管を設けない構成としている。流量センサ４１や温度センサ４２は、この冷却器１３と熱交換器７の一次側の入口部との間に設けられる。
【００２９】
第２の実施形態では、制御装置３０の制御部３５は、第１の実施形態で説明した熱量計算部３３により計算した熱量がタービン９の適切な駆動にかかる熱量の所定の基準値以上である場合に、冷却器１３または熱媒体ポンプ１を制御することで、熱交換器７の一次側へ搬送される熱媒体の熱量が基準値未満に低下するように制御する。
【００３０】
このように、第２の実施形態では、第１の実施形態のような、熱媒体ポンプ１の出口部から熱交換器６を経由して太陽熱集熱装置２に至るバイパスラインを設ける必要がなくなるので、熱媒体ポンプ１による必要揚程を削減することができる。また、熱交換器７の一次側へ搬送される熱媒体の流量を、前述した基準値との比較により制御する必要がなくなるので、熱媒体の流量の制御が容易となる。
【００３１】
（第３実施形態）
次に、第３の実施形態について説明する。  
図５は、第３の実施形態における、太陽熱を利用した発電プラントの例を示す概略図である。  
第３の実施形態では、第１の実施形態で説明した蓄熱装置５と熱交換器７の一次側との間に熱交換器６を設ける代わりに、熱媒体ポンプ１の出口部から熱媒体配管が図示しない弁を介して分岐して、この分岐した熱媒体配管が熱交換器７の一次側の入口部の熱媒体配管に合流するように接続される構成としている。流量センサ４１や温度センサ４２は、この合流部分と熱交換器７の一次側の入口部との間に設けられる。
【００３２】
第２の実施形態では、制御装置３０の制御部３５は、第１の実施形態で説明した熱量計算部３３により計算した熱量がタービン９の駆動にかかる熱量の所定の基準値以上である場合に、熱媒体ポンプ１の弁を調整して、熱交換器７の一次側の出口部から熱媒体ポンプ１の弁を経て熱交換器７の一次側の入口部に戻される熱媒体の流量を制御することで、熱交換器７の一次側へ搬送される熱媒体の熱量が基準値未満に低下するように制御する。  
このように、第３の実施形態では、第２の実施形態と比較して、熱交換器７の前段の熱交換器６を設ける必要がなくなるので、系統を簡素化することができる。
【００３３】
（第４実施形態）
次に、第４の実施形態について説明する。  
図６は、第４の実施形態における、太陽熱を利用した発電プラントの例を示す概略図である。  
第４の実施形態では、第１の実施形態で説明した構成に加え、熱媒体ポンプ１４、太陽熱集熱装置１５、ヒーター１７、蓄熱装置１８、熱交換器（二次媒体用熱交換器）１９の順で熱媒体配管を介して接続してなる、独立した系統を設ける。また、本実施形態では、風力発電装置１６により発電した電力はヒーター１７に供給される。熱交換器１９の二次側は二次媒体用の系統の熱媒体ポンプ８と熱交換器７の二次側との間に設けられる。熱交換器１９は、二次媒体を二次側で取り込んで、この二次媒体を加熱する。
【００３４】
本実施形態では、太陽熱集熱装置１５からヒーター１７、蓄熱装置１８を介して熱交換器１９の一次側に供給される熱媒体と熱交換器１９の二次側に供給される二次媒体との間の熱交換がなされることで二次媒体が加熱される。これにより、二次媒体は熱交換器７による熱交換に加え、熱交換器１９による熱交換によっても加熱されるので、熱交換器１９を低温加熱用として用い、熱交換器７を高温加熱用として用いて、第１の実施形態と比較して二次媒体をさらに加熱することができる。
【００３５】
（第５実施形態）
次に、第５の実施形態について説明する。  
図７は、第５の実施形態における、太陽熱を利用した発電プラントの例を示す概略図である。  
第５の実施形態では、第１の実施形態と比較して、熱媒体ポンプ１の出口部から熱交換器６を経由して太陽熱集熱装置２に至るバイパスラインを設ける代わりに、熱交換器１９の一次側の出口部から熱交換器６の二次側、熱媒体ポンプ１４、太陽熱集熱装置１５、ヒーター１７、蓄熱装置１８、熱交換器１９の順で熱交換器１９の一次側の入口部に戻る独立した系統を構成するように各部の間を熱媒体配管で接続する構成としている。
【００３６】
第５の実施形態では、制御装置３０の制御部３５は、熱量計算部３３により計算した熱量がタービン９の適切な駆動にかかる熱量の所定の基準値以上である場合に、熱媒体ポンプ１４の弁を調整して、熱交換器１９の一次側の出口部から熱交換器６の二次側に与えられる熱媒体の流量を制御することで、熱交換器７の一次側へ搬送される熱媒体の熱量が基準値未満に低下するように制御する。
【００３７】
このような構成とすることにより、熱交換器６の二次側にて加熱された熱媒体は太陽熱集熱装置１５、ヒーター１７を通過することでさらに加熱されて蓄熱装置１８を通過し、熱交換器１９にて二次媒体との熱交換がなされる。  
よって、熱交換器６により加熱された熱媒体を二次媒体の加熱に有効に利用することができるため、二次媒体の加熱にかかる熱ロスを少なくすることができる。
【００３８】
（第６実施形態）
次に、第６の実施形態について説明する。  
図８は、第６の実施形態における、太陽熱を利用した発電プラントの例を示す概略図である。  
この第６の実施形態では、第５の実施形態で設けていた熱媒体ポンプ１４と熱交換器１９との間の太陽熱集熱装置１５、風力発電装置１６、ヒーター１７および蓄熱装置１８を設けずに、熱交換器６の二次側の出口部と熱交換器１９の一次側の入口部とを熱媒体配管で直接接続する構成としている。  
このように、熱交換器６により加熱された熱媒体を熱交換器１９に直接使用する系統にすることで、第５の実施形態と比較して系統の簡素化が可能となる。
【００３９】
また、変形例として、熱交換器７の一次側の出口部からの熱媒体を熱媒体ポンプ１から熱媒体配管を介して熱交換器１９の一次側に合流させるように供給し、この熱交換器１９の一次側の出口部に連なる熱媒体ポンプ１４の弁から熱媒体配管を分岐させて、この熱媒体配管が太陽熱集熱装置２の入口部の熱媒体配管に合流するように接続することで、熱交換器７の一次側から熱交換器１９の一次側に熱媒体を供給し、この熱媒体を太陽熱集熱装置２の入口部に戻して循環させる構成としてもよい。
【００４０】
発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
１，１４…熱媒体ポンプ、２，１５…太陽熱集熱装置、３，１６…風力発電装置、４，１７…ヒーター、５，１８…蓄熱装置、６，７，１９…熱交換器、８…ポンプ、９…タービン、１０…発電機、１１…凝縮器、１２…冷却塔、１３…冷却器、３０…制御装置、４１…流量センサ、４２…温度センサ。
【図１】
2015161284.tif 000003
【図２】
2015161284.tif 000004
【図３】
2015161284.tif 000005
【図４】
2015161284.tif 000006
【図５】
2015161284.tif 000007
【図６】
2015161284.tif 000008
【図７】
2015161284.tif 000009
【図８】
2015161284.tif 000010